(57)【特許請求の範囲】
【請求項１】
個別に燃焼駆動可能な第１および第２のバーナ部を横幅方向に並べて内部に収容しており、かつ前記第１および第２のバーナ部を挟んで前後幅方向に間隔を隔てて位置する一対の側壁部を有するバーナケースと、
前記一対の側壁部のそれぞれの内側に配され、かつ前記一対の側壁部の内側面を覆う一対の遮熱板と、
前記バーナケース内を前記第１および第２のバーナ部がそれぞれ設けられている第１および第２の空間部に仕切るように前記バーナケース内に配される仕切部材と、
を備えている、バーナ装置であって、
前記一対の遮熱板のそれぞれは、前記バーナケースの外側方寄りに窪んだ凹状部が形成された凹状部形成領域を有し、かつ前記第１および第２の空間部にそれぞれ対面する第１および第２の遮熱領域が、前記凹状部形成領域を介して一体的に繋がった構成とされており、
前記仕切部材は、前記前後幅方向における両端部が前記一対の遮熱板の前記凹状部に嵌入されていることにより位置規制が図られており、
前記一対の遮熱板は、前記第１および第２の遮熱領域と前記バーナケースの一対の側壁部との間に隙間が形成され、かつ前記凹状部形成領域が前記一対の側壁部に当接するように設けられていることを特徴とする、バーナ装置。
【請求項２】
請求項１に記載のバーナ装置であって、
前記凹状部は、前記一対の遮熱板のそれぞれに平面断面視略コ字状の曲げ部を形成することにより設けられている、バーナ装置。
【請求項３】
請求項１または２に記載のバーナ装置であって、
前記一対の遮熱板の少なくとも一方と前記仕切部材とには、これらの相対的な位置決め固定が図られるように互いに係合可能な係合部が設けられている、バーナ装置。
【請求項４】
請求項３に記載のバーナ装置であって、
前記係合部は、
前記一対の遮熱板の少なくとも一方に切り込みを形成するとともに、この切り込みに隣接する箇所をその周辺部分よりも前記バーナケースの内側に配置させることにより形成され、かつ背後に空隙部が形成されている係合用受部と、
前記仕切部材の端部に突設され、かつ前記係合用受部の背後の空隙部に進入させることが可能な突片部と、
を備えている、バーナ装置。
【請求項５】
請求項４に記載のバーナ装置であって、
前記係合用受部のうち、前記空隙部の前記突片部の進入口となる箇所を規定する縁部は、先端側ほど前記バーナケースの内側寄りに位置するように湾曲または屈曲した形状とされている、バーナ装置。
【請求項６】
請求項４または５に記載のバーナ装置であって、
前記突片部は、その先端寄り部分が前記空隙部に進入する部分とされ、かつ基端寄り部分は、前記凹状部に嵌入する部分として構成されている、バーナ装置。
【請求項７】
請求項４ないし６のいずれかに記載のバーナ装置であって、
前記係合用受部として、前記凹状部形成領域を挟むようにして前記第１および第２の遮熱領域のそれぞれに設けられた一対の係合用受部を備えており、
前記突片部として、前記一対の係合用受部に対応する一対の突片部を備えている、バーナ装置。
【請求項８】
個別に燃焼駆動可能な第１および第２のバーナ部を有するバーナ装置と、
前記第１および第２のバーナ部によって発生された燃焼ガスから熱回収を行なって湯水加熱を行なうための第１および第２の熱交換部を有する熱交換器と、
を備えている、給湯装置であって、
前記バーナ装置として、請求項１ないし７のいずれかに記載のバーナ装置が用いられていることを特徴とする、給湯装置。
【発明の詳細な説明】
【技術分野】
【０００１】
本発明は、たとえば１缶２水路方式の熱交換器を備えたタイプの給湯装置の構成要素などとして用いるのに好適なバーナ装置、およびこれを備えた給湯装置に関する。
【背景技術】
【０００２】
バーナ装置の具体例として、特許文献１〜３に記載のものがある。
これらの文献に記載されたバーナ装置は、バーナケース内に、個別に燃焼駆動可能な第１および第２のバーナ部が、バーナケースの横幅方向に並べられて収容されている。前記バーナケース内には、仕切部材が配され、前記バーナケース内は、前記第１および第２のバーナ部をそれぞれ有する第１および第２の空間部に仕切られている。このことにより、第１および第２の空間部の一方から他方に燃焼ガスが流入することが防止される。一方、バーナケース内には、バーナケースの側壁部の内側に位置して、この側壁部の内側面を覆う遮熱板も設けられている。この遮熱板は、第１および第２のバーナ部によって発生される火炎によってバーナケースの側壁部が高温に加熱されることを抑制し、熱損傷を防止する役割を果たす。
【０００３】
しかしながら、従来においては、次に述べるように、改善すべき余地があった。
【０００４】
すなわち、バーナケース内に仕切部材を取り付ける場合、仕切部材の位置決めを正確に図るとともに、バーナケース内の第１および第２の空間部の一方から他方への燃焼ガス漏れを生じないように、仕切部材と遮熱板との間に隙間をできる限り発生させないようにする必要がある。これに対し、バーナケースの側壁部の内側には、遮熱板が設けられており、この遮熱板が仕切部材の取り付けを困難にしている。
そこで、従来においては、バーナケースの内側のうち、仕切部材が取り付けられる箇所には、遮熱板を設けないようにした上で、仕切部材の両端部をバーナケースの側壁部にパッキンを介して当接させ、かつ仕切部材の端部を前記側壁部に対してバーナケースの外側からビス止めするといった手段が採用されている。
ところが、このような手段を採用したのでは、遮熱板が仕切部材の取り付け箇所を挟んで２つの部材に分断されたものとなる。したがって、部品点数が多くなり、それらの組み付け作業も煩雑となるため、製造コストが嵩むといった不具合を生じてしまう。
【先行技術文献】
【特許文献】
【０００５】
【特許文献１】特開２０１１−２７３５２号公報
【特許文献２】特開２０１５−１０５８１４号公報
【特許文献３】特開２０１３−２３１５５９号公報
【発明の概要】
【発明が解決しようとする課題】
【０００６】
本発明は、前記したような事情のもとで考え出されたものであり、部品点数を少なくして全体構造の簡素化を図りながらも、バーナケース内への仕切部材の取り付けを適切に行なうことが可能なバーナ装置、およびこれを備えた給湯装置を提供することを、その課題としている。
【課題を解決するための手段】
【０００７】
上記の課題を解決するため、本発明では、次の技術的手段を講じている。
【０００８】
本発明の第１の側面により提供されるバーナ装置は、個別に燃焼駆動可能な第１および第２のバーナ部を横幅方向に並べて内部に収容しており、かつ前記第１および第２のバーナ部を挟んで前後幅方向に間隔を隔てて位置する一対の側壁部を有するバーナケースと、前記一対の側壁部のそれぞれの内側に配され、かつ前記一対の側壁部の内側面を覆う一対の遮熱板と、前記バーナケース内を前記第１および第２のバーナ部がそれぞれ設けられている第１および第２の空間部に仕切るように前記バーナケース内に配される仕切部材と、を備えている、バーナ装置であって、前記一対の遮熱板のそれぞれは、前記バーナケースの外側方寄りに窪んだ凹状部を形成した凹状部形成領域を有し、かつ前記第１および第２の空間部にそれぞれ対面する第１および第２の遮熱領域が、前記凹状部形成領域を介して一体的に繋がった構成とされており、前記仕切部材は、前記前後幅方向における両端部が前記一対の遮熱板の前記凹状部に嵌入されていることにより位置規制が図られており、前記一対の遮熱板は、前記第１および第２の遮熱領域と前記バーナケースの一対の側壁部との間に隙間が形成され、かつ前記凹状部形成領域が前記一対の側壁部に当接するように設けられていることを特徴としている。
ここで、「横幅方向」および「前後幅方向」は、バーナケース自体の横幅方向および前後幅方向であり、バーナケースが組み込まれる給湯装置の横幅方向や前後幅方向とは必ずしも一致するものではない。
【０００９】
このような構成によれば、次のような効果が得られる。
第１に、一対の遮熱板のそれぞれは、バーナケース内の第１および第２の空間部にそれぞれ対面する第１および第２の遮熱領域が、凹状部形成領域を介して一体的に繋がった構成であり、従来技術とは異なり、仕切部材が取り付けられる箇所において２つの部材には分断されていない。このため、遮熱板の部品点数を従来技術よりも少なくし、バーナケースへの組み付け作業の簡素化などを図り、バーナ装置の製造コストを低減することが可能となる。
第２に、各遮熱板の凹状部に仕切部材の端部を嵌入させることにより、仕切部材の位置規制を図っているために、仕切部材の位置規制を行なうための構成は合理的かつ簡素なものとすることができ、組み立て性もよい。また、位置決め精度も高いものとすることができる他、仕切部材の端部と遮熱板との間に隙間を生じ難くすることもでき、バーナケース内の第１および第２の空間部の一方から他方側へ燃焼ガスが漏れるといったことを防止する上でも好ましいものとなる。
第３に、遮熱板の第１および第２の遮熱領域とバーナケースの側壁部との間には隙間が形成されているため、この隙間内に存在する空気が断熱層となり、遮熱板から側壁部への熱伝導が好適に抑制される。一方、遮熱板の凹状部形成領域は、側壁部に当接するように設けられているため、凹状部の深さ（前後幅方向の深さ）を大きくとり、凹状部への仕切部材の嵌入寸法も大きくとることが可能となる。また、凹状部形成領域を側壁部に接触させれば、側壁部に対する遮熱板の取り付け状態の安定化を図ることもできる。
【００１０】
本発明において、好ましくは、前記凹状部は、前記一対の遮熱板のそれぞれに平面断面視略コ字状の曲げ部を形成することにより設けられている。
【００１１】
このような構成によれば、前記凹状部を、たとえばプレス加工によって容易に形成することができる。
【００１４】
本発明において、好ましくは、前記一対の遮熱板の少なくとも一方と前記仕切部材とには、これらの相対的な位置決め固定が図られるように互いに係合可能な係合部が設けられ
ている。
【００１５】
このような構成によれば、仕切部材の位置決め固定手段として、ビス止めなどの手段を採用する必要を無くし、または少なくし、組み立て作業の一層の容易化を図ることができる。
【００１６】
本発明において、好ましくは、前記係合部は、前記一対の遮熱板の少なくとも一方に切り込みを形成するとともに、この切り込みに隣接する箇所をその周辺部分よりも前記バーナケースの内側に配置させることにより形成され、かつ背後に空隙部が形成されている係合用受部と、前記仕切部材の端部に突設され、かつ前記係合用受部の背後の空隙部に進入させることが可能な突片部と、を備えている。
【００１７】
このような構成によれば、簡易な構成の係合用受部と突片部とを係合させることによって、仕切部材の位置決め固定を適切に図ることができる。
【００１８】
本発明において、好ましくは、前記係合用受部のうち、前記空隙部の前記突片部の進入口となる箇所を規定する縁部は、先端側ほど前記バーナケースの内側寄りに位置するように湾曲または屈曲した形状とされている。
【００１９】
このような構成によれば、空隙部のうち、突片部の進入口となる箇所の開口幅を大きくし、空隙部に突片部を進入させる作業の容易化ならびに円滑化を図ることができる。
【００２０】
本発明において、好ましくは、前記突片部は、その先端寄り部分が前記空隙部に進入する部分とされ、かつ基端寄り部分は、前記凹状部に嵌入する部分として構成されている。
【００２１】
このような構成によれば、係合用受部との係合部として利用される突片部が、凹状部に嵌入することによって仕切部材の位置決めを図るための部分としても兼用されることとなり、その構成は合理的であって、全体の構造の簡素化を図る上で好ましい。
【００２２】
本発明において、好ましくは、前記係合用受部として、前記凹状部形成領域を挟むようにして前記第１および第２の遮熱領域のそれぞれに設けられた一対の係合用受部を備えており、前記突片部として、前記一対の係合用受部に対応する一対の突片部を備えている。
【００２３】
このような構成によれば、仕切部材の位置決め固定状態をより安定させることができる。
【００２４】
本発明の第２の側面により提供される給湯装置は、個別に燃焼駆動可能な第１および第２のバーナ部を有するバーナ装置と、前記第１および第２のバーナ部によって発生された燃焼ガスから熱回収を行なって湯水加熱を行なうための第１および第２の熱交換部を有する熱交換器と、を備えている、給湯装置であって、前記バーナ装置として、本発明の第１の側面によって提供されるバーナ装置が用いられていることを特徴としている。
【００２５】
このような構成によれば、本発明の第１の側面により提供されるバーナ装置について述べたのと同様な効果が得られる。
【００２６】
本発明のその他の特徴および利点は、添付図面を参照して以下に行なう発明の実施の形態の説明から、より明らかになるであろう。
【図面の簡単な説明】
【００２７】
【図１】本発明に係る給湯装置の一例を示す正面断面図である。
【図２】図１の側面断面図である。
【図３】図１に示す給湯装置で用いられているバーナ装置の概略斜視図である。
【図４】図３の分解斜視図である。
【図５】（ａ）は、図１のＶａ部の拡大断面図（バーナ本体は省略）であり、（ｂ）は、（ａ）の分解断面図である。
【図６】（ａ）は、図５（ａ）のVIa−VIa断面図であり、（ｂ）は、（ａ）の分解断面図である。
【図７】（ａ）は、図５（ａ）の平面断面図であり、（ｂ）は、（ａ）の分解平面断面図である。
【図８】図３に示すバーナ装置で用いられている仕切部材の側面図であり、図４の矢視VIIIの概略側面図に相当する。
【発明を実施するための形態】
【００２８】
以下、本発明の好ましい実施の形態について、図面を参照して具体的に説明する。
【００２９】
図１および図２に示す給湯装置ＷＨは、一般給湯と風呂給湯、あるいは一般給湯と暖房給湯などの２系統の給湯動作が可能なものであり、その基本的な構成自体は、特許文献３に記載されたものと同様である。したがって、給湯装置ＷＨの全体構成については比較的簡単に説明する。
【００３０】
給湯装置ＷＨは、個別に燃焼駆動可能な第１および第２のバーナ部５Ａ，５Ｂが、バーナケース２内に配されたバーナ装置Ｂ、バーナケース２内に燃焼用空気を供給するファン３０、ならびに第１および第２のバーナ部５Ａ，５Ｂによって発生された燃焼ガスから顕熱および潜熱を順次回収して湯水加熱を行なうための１次および２次の熱交換器ＨＥ１，ＨＥ２を備えている。
【００３１】
１次熱交換器ＨＥ１は、バーナケース２の上側に載設された缶体１内に、複数のフィン１９ａ，１９ｂに貫通した平面視蛇行状の伝熱管Ｔ１ａ，Ｔ１ｂが収容され、かつそれらの相互間が仕切部材１８によって仕切られた構成である。２次熱交換器ＨＥ２は、１次熱交換器ＨＥ１の上側に載設されたケース７内に螺旋状の複数の伝熱管Ｔ２ａ，Ｔ２ｂが収容され、かつそれらの相互間が仕切部材７４によって仕切られた構成である。複数の伝熱管Ｔ２ａ，Ｔ２ｂには、入水用のヘッダ７５ａ，７５ｂ、および出湯用のヘッダ７６ａ，７６ｂが接続されている。図２によく表われているように、第１のバーナ部５Ａによって発生された燃焼ガスは、伝熱管Ｔ１ａに作用して顕熱回収がなされた後に、ケース７の底部の給気口７１からケース７内に流入し、複数の伝熱管Ｔ２ａに作用して潜熱回収がなされる。その後は、ケース７の前部の排気口７２に進行する。図１に示すように、伝熱管Ｔ２ａに供給されて通過した湯水は、伝熱管Ｔ１ａに送られ、これら２つの伝熱管Ｔ２ａ，Ｔ１ａを経由して加熱生成された湯水は、一般給湯に利用される。一方、第２のバーナ部５Ｂによって発生された燃焼ガスは、伝熱管Ｔ１ｂに作用した後に、ケース７の前記した給気口７１とは別の給気口（不図示）からケース７内に流入して複数の伝熱管Ｔ２ｂに作用し、やはり顕熱および潜熱回収がなされる。伝熱管Ｔ２ｂに供給されて通過した湯水は、伝熱管Ｔ１ｂに送られ、これら２つの伝熱管Ｔ２ｂ，Ｔ１ｂを経由して加熱生成された湯水は、風呂給湯または暖房給湯に利用される。
【００３２】
図３に示すように、バーナ装置Ｂは、ガスバーナ装置であり、既述した第１および第２のバーナ部５Ａ，５Ｂ、ならびにバーナケース２に加え、一対の遮熱板４（４Ａ，４Ｂ）、および仕切部材６をさらに備えている。バーナケース２は、上面が開口した略直方体状である。
【００３３】
第１および第２のバーナ部５Ａ，５Ｂは、複数のバーナ本体５０（燃焼管）が横並び状
に設けられた部分である。各バーナ本体５０としては、たとえば特開２０１３−２４２０８０号公報などに記載された従来既知のものを用いることが可能であり、その詳細は省略するが、全体が比較的偏平状であって、図２に示すように、長手方向一端の下部には燃料ガス導入口５１を有し、かつ上部には炎孔部５２を有している。バーナケース２の側壁部２０（２０Ｂ）の下部には、燃料ガス導入口５１に対向する開口部２２が設けられており、バーナケース２の側部に配される燃料ガス供給用のヘッダ３１のノズル３２から開口部２２に燃料ガスを噴出可能である。一方、開口部２２には、ファン３０から吐出された燃焼用空気（１次空気）も供給され、前記燃料ガスは炎孔部５２において燃焼する。バーナ本体５０の下方には、複数の通気孔８０を有する整流板８が設けられている。ファン３０からバーナケース２内に供給された空気のうち、一部の空気（２次空気）は、通気孔８０を通過して複数のバーナ本体５０の設置領域に供給される。
【００３４】
図３および図４において、一対の遮熱板４（４Ａ，４Ｂ）は、バーナケース２の一対の側壁部２０が第１および第２のバーナ部５Ａ，５Ｂの燃焼駆動に起因して高温に加熱されることを防止するための部材であり、耐熱性に優れるたとえばステンレス鋼板にプレス加工を施すことにより形成されている。各遮熱板４は、上下高さ方向に起立した略平板状の本体部４０、この本体部４０の上端縁に屈曲して繋がった上片部４１、本体部４０の下端縁から内向きに突出した複数のバーナ保持片部４２、および本体部４０に設けられた凹状部形成領域Ｓｃを有している。一対の遮熱板４のうち、一方の遮熱板４（４Ａ）には、一対の係合用受部４４（４４Ａ，４４Ｂ）がさらに設けられている。
【００３５】
遮熱板４は、バーナケース２の側壁部２０の上部フランジ２３に、上片部４１を係止させてネジ止めすることにより、バーナケース２への取り付けが図られている。この取り付けは、図２および図７に示すように、遮熱板４の本体部４０と側壁部２０との間に断熱用の隙間３９が形成されるようになされる。ただし、本実施形態においては、凹状部形成領域Ｓｃは、側壁部２０に当接した構成とされている（図７を参照）。図４において、複数のバーナ保持片部４２は、これらによって形成されている複数の凹部のそれぞれにバーナ本体５０の端部を進入させてバーナ本体５０の位置決め保持を図るための部分である。
【００３６】
凹状部形成領域Ｓｃは、遮熱板４（４Ａ，４Ｂ）の本体部４０の一部を平面断面視略コ字状の曲げ部とし、バーナケース２の外側方に向けて窪んだ凹状部４３（４３Ａ，４３Ｂ）を形成した領域である。凹状部４３は、上下高さ方向に延びている。遮熱板４の本体部４０は、バーナケース２の横幅方向において、凹状部形成領域Ｓｃを介して第１および第２の遮熱領域Ｓａ，Ｓｂに区分されており、かつこれらの領域Ｓａ〜Ｓｃが一体的に繋がった構成とされている。バーナケース２内は、仕切部材６によって第１および第２のバーナ部５Ａ，５Ｂをそれぞれ有する第１および第２の空間部２５Ａ，２５Ｂに仕切られるが、第１および第２の遮熱領域Ｓａ，Ｓｂは、それら第１および第２の空間部２５Ａ，２５Ｂに対面する領域である。
なお、図１には、バーナケース２の他の一対の側壁部２６を保護するための遮熱板９０が示されているが、他の図面ではこれを省略している。遮熱板９０は、本発明が技術対象とするものではなく、遮熱板９０の有無、ならびにその具体的な構成は問わない。
【００３７】
仕切部材６は、既述したように、バーナケース２内を第１および第２の空間部２５Ａ，２５Ｂに仕切るための部材であり、たとえば遮熱板４と同様に、耐熱性に優れたステンレス鋼板にプレス加工を施すことにより形成されている。図４において、仕切部材６の幅方向（バーナケース２の前後幅方向）の一端部には、一対の第１の突片部６１（６１Ａ，６１Ｂ）が突設され、かつ他端部には、一対の第２の突片部６２（６２Ａ，６２Ｂ）が突設されている。第１の突片部６１および第２の突片部６２は、ともに仕切部材６の一部に曲げ加工を施すことにより、仕切部材６に一体的に連設された部位である。
【００３８】
一対の第１の突片部６１（６１Ａ，６１Ｂ）は、仕切部材６の一端部から右左に突出し、かつ上下高さ位置が相違する突片部として形成されている。図７に示すように、第１の突片部６１は、平面視において屈曲した形態を有しており、それらの基端寄り部分は、遮熱板４Ａの凹状部４３に嵌入される。また、第１の突片部６１の先端寄り部分は、遮熱板４Ａに設けられた一対の係合用受部４４に係合する部分とされている。第１の突片部６１は、本発明でいう係合部を構成する突片部の一例に相当する。これに対し、第２の突片部６２は、本発明でいう係合部を構成する突片部の例には相当しない。
【００３９】
より詳細に説明すると、一対の第１の突片部６１（６１Ａ，６１Ｂ）の双方の基端寄り部分は、凹状部４３（４３Ａ）の奥壁面４３ｃに当接するようにして凹状部４３内に進入する部分とされている。ただし、一方の第１の突片部６１Ａには、凹状部４３の右側壁面４３ａに当接する当接部６１ａが設けられ、かつ他方の第１の突片部６１Ｂには、凹状部４３の左側壁面４３ｂに当接する当接部６１ｂが設けられている。これら２つの当接部６１ａ，６１ｂをトータルすると、これらの部分は、バーナケース２の横幅方向における仕切部材６の位置規制が図られるように凹状部４３に嵌入する嵌入部に相当する。
【００４０】
図５に示すように、遮熱板４Ａに設けられている一対の係合用受部４４（４４Ａ，４４Ｂ）は、凹状部４３を挟んでその右左に位置し、かつ高さが相違するように設けられている。一方の係合用受部４４Ａは、遮熱板４Ａに正面視略『状の切り込み４５を形成するとともに、この切り込み４５に隣接する箇所をその周辺部分よりもバーナケース２の内側（図５の手前側）に押し出すことにより形成されている。この係合用受部４４の背後には、図６および図７に示すように空隙部４６が形成されている。他方の係合用受部４４Ｂは、一方の係合用受部４４Ａと左右対称であり、図面において、一方の係合用受部４４Ａに対応する部位については、それと同一の符号を付している。
【００４１】
一対の第１の突片部６１のそれぞれの先端寄り部分は、一対の係合用受部４４の背後の空隙部４６に対してその上方側から進入され、一対の係合用受部４４との係合が図られている。この係合は遊びのない状態で行なわれている。図６に示すように、各係合用受部４４の上側の縁部４４ａは、先端側（上端側）ほどバーナケース２の内側寄りに位置するように湾曲または屈曲している。このような構成によれば、空隙部４６のうち、第１の突片部６１の進入口となる部分の開口幅を大きくすることができるために、第１の突片部６１を空隙部４６に進入させる作業の容易化ならびに円滑化が図られる。
【００４２】
図４および図８に示すように、仕切部材６の他端部に設けられた一対の第２の突片部６２（６２Ａ，６２Ｂ）は、仕切部材６の他端部から左右に突出し、かつ上下高さ位置が相違した突片部として形成されている。これらの第２の突片部６２は、先に述べた第１の突片部６１の基端寄り領域と同様な機能をもつ部分である。すなわち、図７に示すように、一対の第２の突片部６２は、遮熱板４Ｂの凹状部４３（４３Ｂ）の奥壁面４３ｃに当接するようにして凹状部４３に進入する部分とされている。一方の第２の突片部６２Ａには、凹状部４３の右側壁面４３ａに当接する当接部６２ａが設けられ、かつ他方の第２の突片部６２Ｂには、凹状部４３の左側壁面４３ｂに当接する当接部６２ｂが設けられている。これら２つの当接部６２ａ，６２ｂをトータルすると、これらの部分は、仕切部材６の横幅方向への位置規制を図るように凹状部４３に嵌入する嵌入部となっている。第１および第２の突片部６１，６２が一対の凹状部４３（４３Ａ，４３Ｂ）のそれぞれの奥壁面４３ｃに当接する構造は、バーナケース２の前後幅方向における仕切部材６の位置規制に役立つ。
【００４３】
次に、前記したバーナ装置Ｂ、および給湯装置ＷＨの作用について説明する。
【００４４】
まず、仕切部材６の取り付け手段として、一対の遮熱板４には、凹状部４３や係合用受
部４４が形成されており、各遮熱板４は凹状部形成領域Ｓｃを介して第１および第２の遮熱領域Ｓａ，Ｓｂが一体的に繋がった構成とされている。このため、たとえば遮熱板４が仕切部材６の取り付け箇所において分断された構成とは異なり、遮熱板４の部品点数を少なくし、バーナケース２への組み付け作業の煩雑さを抑制することができる。
【００４５】
遮熱板４や仕切部材６は、たとえばステンレス鋼板にプレス加工を施すことにより製作されるが、遮熱板４の凹状部４３や係合用受部４４は、プレス加工により形成可能である。また、仕切部材６の第１および第２の突片部６１，６２も、プレス加工により形成可能である。したがって、遮熱板４や仕切部材６の製造は容易であり、それらの製造コストを廉価に抑え、バーナ装置Ｂの製造コストを低減することも可能である。第１の突片部６１は、係合用受部４４に対する係合片としての役割を果たす他、凹状部４３への嵌入部としての役割も果たすため、それらの役割を果たす突片部を別々に設ける場合と比較すると、その構成は合理的であり、仕切部材６の構成を簡素にし得る利点もある。
【００４６】
仕切部材６は、その両端部に設けられている第１および第２の突片部６１，６２が、遮熱板４の凹状部４３に嵌入する作用により、バーナケース２の横幅方向および前後幅方向の位置決めならびにその位置規制が好適に図られる。なお、仕切部材６の上下高さ方向の位置決めは、仕切部材６の下端縁が整流板８などに隙間なく当接するようになされる。このようなことから、仕切部材６の位置決め精度を高くし、適切な位置規制を図ることができる。とくに、本実施形態においては、一対の第１の突片部６１は、上下高さ方向に間隔を隔てて位置し、かつ凹状部４３の右側壁面４３ａおよび左側壁面４３ｂに個々に当接するため、凹状部４３に対して一対の第１の突片部６１が横幅方向にがたつきを生じ難いように嵌入させることが可能である。一対の第２の突片部６２についても同様である。
【００４７】
仕切部材６は、バーナケース２内の第１および第２の空間部２５Ａ，２５Ｂの相互間で燃焼ガスが行き来する不具合を生じないように取り付ける必要があるが、仕切部材６の前記したような取り付け構造によれば、仕切部材６の位置規制を適切に図ることができるために、前記した不具合を生じないようにすることが可能である。凹状部４３に仕切部材６の端部が進入している部分およびその周辺の構造は、段差を有する構造となっているため、ラビリンス構造の作用と同様な作用により、燃焼ガスの通過量を少なくし得る効果も期待できる。
【００４８】
仕切部材６は、係合用受部４４と第１の突片部６１との係合作用により、遮熱板４に対する取り付け固定の確実化が図られる。したがって、仕切部材６をビス止めするような必要をなくし、このことによってもバーナ装置Ｂの組み立て性を良くすることができる。とくに、本実施形態では、仕切部材６の第１の突片部６１を凹状部４３に嵌入する作業工程において、この第１の突片部６１を係合用受部４４に係合させる作業を同時に行なうことができるため、仕切部材６の組み立て性は一層良くなる。
【００４９】
遮熱板４の凹状部形成領域Ｓｃは、バーナケース２の側壁部２０に当接しているため、凹状部４３の深さを大きくとることが可能である。このことにより、側壁部２０への遮熱板４の取り付けを安定させることができる。なお、遮熱板４の本体部４０のうち、凹状部形成領域Ｓｃ以外の部分は、側壁部２０との間に隙間３９を形成しているため、側壁部２０が高温に加熱されることを防止する断熱機能を適切に発揮する。
【００５０】
本発明は、上述した実施形態の内容に限定されない。本発明に係るバーナ装置、および給湯装置の各部の具体的な構成は、本発明の意図する範囲内において種々に設計変更自在である。
【００５１】
上述の実施形態においては、仕切部材の端部に上下高さ方向の配置が相違する一対の突
片部を形成し、これらの突片部を遮熱板の凹状部に嵌入させているが、本発明はこれに限定されない。たとえば、仕切部材の端部に、凹状部と同等幅の１つの突片部を形成し、この突片部を凹状部に嵌入させるようにしてもよい。また、仕切部材に前記したような突片部を設けることなく、仕切部材の本体部の端部をそのまま凹状部に嵌入させるといった手段を採用することも可能である。
遮熱板および仕切部材は、いずれも耐熱性に優れた材質とすることが望まれるが、やはりその具体的な材質は限定されない。仕切部材は、第１および第２のバーナ部の双方から熱を受けるため、かなり高温となる場合があるが、これに対処する策として、仕切部材をそれよりも耐熱性に優れた材質の部材、あるいはファンから供給される空気を利用した効率のよい冷却が図られる部材によって覆うといった手段を採用することもできる。
遮熱板に形成される凹状部の具体的な形状、サイズ、形成方法なども限定されない。
【符号の説明】
【００５２】
ＷＨ  給湯装置
Ｂ  バーナ装置
ＨＥ１  １次熱交換器（熱交換器）
ＨＥ２  ２次熱交換器（熱交換器）
Ｓａ，Ｓｂ  第１および第２の遮熱領域（遮熱板の）
Ｓｃ  凹状部形成領域（遮熱板の）
２  バーナケース
２０  側壁部（バーナケースの）
２５Ａ，２５Ｂ  第１および第２の空間部
３９  隙間
４（４Ａ，４Ｂ）  遮熱板
４３  凹状部
４４（４４Ａ，４４Ｂ）  係合用受部（係合部）
４４ａ  縁部（係合用受部の）
４５  切り込み
４６  空隙部
５Ａ，５Ｂ  第１および第２のバーナ部
５０  バーナ本体
６  仕切部材
６１（６１Ａ，６１Ｂ）  第１の突片部（係合部）
６２（６２Ａ，６２Ｂ）  第２の突片部
【図１】
0006593584.tif 000002
【図２】
0006593584.tif 000003
【図３】
0006593584.tif 000004
【図４】
0006593584.tif 000005
【図５】
0006593584.tif 000006
【図６】
0006593584.tif 000007
【図７】
0006593584.tif 000008
【図８】
0006593584.tif 000009